(57)【要約】【課題】  一般に出回っているハンドバッグの中に入れる小物類を分かりやすく分類し、また取り出しやすくするもので複数の収納部を設けることによって、バックの中の小物類を整然と保つことを目的とした。  【解決手段】バックのサイズに合わせて横長の形状のシート材の左右の両端を直線に縫合し筒体を形成しこの筒体３を扁平にする。扁平体の端側から上部の縫合部まで直線的に下方に向かって縫合する。ハンドバックのサイズに合わせて作製する。各分類袋が収納部になり、小物の出し入れ口を形成したものである。【選択図】        図７
0003141847.tif 000002
【実用新案登録請求の範囲】
【請求項１】
加撓性を有する横長形状のシート材の両端を直線状に縫合して筒体を形成し、筒体を扁平にし、両端から間隔を置いて収納部を形成するように、複数に縫合し、分類できることを特徴とするハンドバックの小物分類袋。
【請求項２】
前記の分類袋のサイズを横に広げてゆくこともシート材のサイズを大きくすることで可能にしたり、または分類袋を一片で縫い合わせて筒状形態にした  請求項１のハンドバックの小物分類袋。
【請求項３】
前記筒体の両端または中央部に取り出しを容易にする取手部を設けたことを特徴とする請求項１または２のハンドバックの小物分類袋。
【請求項４】
前記の筒体の寸法は、それぞれのハンドバックの高さの７０〜９０パーセント、横幅もその５０〜９０パーセントであることを特徴とする請求項１または２のハンドバックの小物分類袋。
【請求項５】
前記の筒体の材料は、ハンドバックの中に立体的に形成されることの出来る厚さ、硬さを持つ化学繊維、天然繊維であることを特徴とする請求項１または２のハンドバック小物分類袋。
【考案の詳細な説明】
【技術分野】
【０００１】
本考案はハンドバックの中に常に携帯する小物類（サイフ、手帳、ハンカチ、ティッシュペーパーなど）を見分けやすく、取り出しやすく、また整然と保つためのハンドバック用分類袋である。
【背景技術】
【０００２】
一般的に使われているハンドバッグには、財布、手帳、化粧道具、ハンカチ、ティッシュ、文庫本等の書籍、ボールペンなどさまざまな小物類が入れられるように作られている。中には分類しやすいように、中央に仕切りの布などがはられている（特許文献１参照）。
【０００３】
通常のハンドバックは収納する部分の側面部にファスナー付のポケットや２，３箇所の小さなポケットが付けてある。しかし一般的にバックの中に携帯する小物類は持ち歩くうちにバックの中で左右に移動し、取り出すときに見つけにくくなり大変不便な思いをすることがたびたびある（特許文献２〜５参照）。
また、ハンドバッグを開けた時に雑然としていて、どんな有名ブランドでも、１０００円程度のバッグでもバッグの中身はバラバラになってしまい、整理がつかない。
【０００４】
【特許文献１】実用新案登録第３１２６４２１号
【特許文献２】特願２００５−８９６４８号、特願２００６−０５５７０２号
【特許文献３】特開平９−２９０８５９号
【特許文献４】実開平６−４９３５９号
【特許文献５】特開２００４−１８９３１０号
【考案の開示】
【考案が解決しようとする課題】
【０００５】
一般的なハンドバッグには内ポケツトや中央部に大きな仕切りが縫合している物もあるが、内ポケツトに収納できる物は限られている。特に女性は色々な小物を必要としている。この分類袋はこれらの小物類を分類して収納することで、取り出し易さ、見易さ、きれいに整理できるという点を解決するものである。
【０００６】
現在は、仕事についている女性も多く、ハンドバッグの大きさも変化し、大きなハンドバッグを持つ人も増え、バッグが大きくなればなるほど、バッグの中はバラバラになり雑然とした状態になる。多少の仕切りでは間に合わないという問題がある。
使われている小物類には巾着型や、ポオチ型の小物入れがあり、これらをバッグの中に入れて使っている場合もあるが、それは開口部にひもやファスナーが付いており、いちいち取り出さなくてならないし、かえって手間取るという点がある。
【０００７】
本考案は、上記の問題を解決するために創案されたものであり、複数の小物を、仕切りした分類袋に収納することによって、整理して使うことのできるハンドバッグ用小物分類袋を提供することである。
【課題を解決するための手段】
【０００８】
上記の課題を達成するために、本考案のハンドバッグ用小物分類袋は、可撓性の横長形状のシート材を両端を直線状にして縫合し筒状に、また分類袋の一端を縫い合わせて筒状を形成し、その筒状を偏平にして、端から小物類の適当な幅に合わせて仕切りを付けるように開口部から下に直線状に縫合し、複数の収納部を形成することを目的とする。
【０００９】
加撓性を有する横長形状のシート材の両端を直線状に縫合して筒体を形成し、筒体を扁平にし、両端から間隔を置いて収納部を形成するように、複数に縫合し、分類できるハンドバックの小物分類袋である。
【００１０】
前記の分類袋のサイズを横に広げてゆくこともシート材のサイズを大きくすることで可能にしたり、分類袋を一片で縫い合わせて筒状形態にしたりすることができるハンドバックの小物分類袋である。
また前記筒体の両端または中央部に取り出しを容易にする取手部を設けることができるハンドバックの小物分類袋である。
前記の筒体の寸法は、それぞれのハンドバックの高さの７０〜９０パーセント、横幅もその５０〜９０パーセントであり、また前記の筒体の材料は、ハンドバックの中に立体的に形成されることの出来る厚さ、硬さを持つ化学繊維、天然繊維であるハンドバック小物分類袋である。
【００１１】
上記の考案によれば、分類袋の仕切り(開口部)を用途の幅を少しずつ違う幅にしているので、ボウルペン等はその幅の部分に、手帳等はその幅にあつた部分に収納することが可能になる。
また、このバッグ用分類袋は、取手の部分を設けているので、ハンドバッグを替える時にはそのまま取手部分を持ち上げて別のバッグへ移動させることができる。こものが少ない時には収納しない部分を偏平にしておけば、バックの中でかさばらない。
【００１２】
この各分類袋は、長方形状に作製することも可能で図５に示している様に、バックの縦型には上記の製作方法で長方形のシート材を筒体にして、その筒体の中心部を開口部から底部へと縫合して、その部分に取っ手部分を付ければ、バランス良く
取り出すことも可能である。収納部は、筒体同士を重ねて中心部で縫合すれば２個の筒体が４つに仕切れ、３個の筒体が６つに仕切れて、収納部が増えてゆくことになる。夏場につかう竹製の篭や布製のバック等、ポケットが何も設けていない物もあるのでバスカードやバス整理券、乗車券を収納するためにポケット部を付けることも可能である。
本バックに使用される小物入れの材料はナイロン製や硬めの布などを用い、バックの値段に合った材質、材料、デザインをいれたもので製作される。手軽なバックにはキルティング等で作れば良いし、また高級なバックは、デザイン、装飾付の高級感の出る材料を使用することが望ましい。
【考案の効果】
【００１３】
本発明に係るバック用の小物袋は以上のように構成し、収納部の幅を少しずつ広げているので、色々な小物類が収納しやすく形成されている。バックの中で分類袋を使用するとバックの中を上から見た場合とても見やすく、取り出しやすく、整然としていて、非常に重宝するものである。このバック用小物分類袋は持ち運びも軽く、簡単にできるし、また、バックからバックへと移動させるときもスムーズに行うことができる、極めて便利なものである。素材の色や柄を変えることでとても楽しいものになる。
【考案を実施するための最良の形態】
【００１４】
本考案に係るバック用小物分類袋の考案の実施の形態を図面に従って説明する。図１から図３は本考案に係るバック用小物分類袋を示すものである。バック用小物分類袋１は片方の端からボールペンやシャープペン等の細い棒状の小物類を主に収納する。その横に少しずつ幅を広げた収納部を設けているので幅に合った小物類を収納することができる。
紛失すると困る大事なサイフや通帳などを収納する収納部にはボタン（ドットボタンの様なもの）を取り付けているので抜け出ることはない。
【００１５】
上記のように構成したバック用小物分類袋１はハンドバックの中で自在に形を変えることが可能なので、ハンドバックの形に合わせて分類袋をバックの中でＳ型やＷ型やＮ型などに変えて使用することが可能である。また、硬めのキルティング布などで作製するので、バックの中で立体的に形成できる。
図４―aから図４―eは本考案にかかるバック用小物分類袋をシート材から筒体を経て収納部を形成するまでの製造方法を示すものである。加撓性を有する横長方形状に裁断したシート材１３を材料とする図４―aシート材１３は加撓性を有するもので硬めの布や繊維などの素材を用いるものである）
次にこのシート材１３は、両端を重ね合わせて、両端を縫合し、開合部は見ばえのいい様に三つ折にして縫合するか、布の端にロックミシンをかけた後、二つに折って縫合する。図４―ｂの次に袋状になったシート材１３を偏平の状態にしてから、片方の端からボールペンが入るぐらいの幅に仕切れるように収納できる収納部を作りながら、上部から底部に直線に縫合していく。次にティシュペーパーやハンカチが収納できる幅、その次には少し幅を広げながら同じように縫合する。
最後に、開口部の両端部分またはバックから分類袋を取り出しやすくするために、取手部の図４−ｄ１０を１０aに１１を１１aに取り付けて縫合する。そして最後にボタンを取り付ける。大きな分類袋になれば中心部（図示していない）に取り付けることも可能である。
【００１６】
図５に示しているように縦長形のバックに用いる場合はシート材１３を縦長の筒体が形成されるように裁断し、中心部を開口部から底部に縫合し、仕切ることによっていくつもの収納部を形成することが可能にしたものである。
この図１の小物入れの寸法と材料としては、寸法  縦２０cm横４０cm、区分６区間にして、材料を化学繊維のナイロン製で作製した。
【００１７】
本考案のハンドバック用小物分類袋は前記のように作成することによって、バックの中に入れて持ち歩く小物類を整然と収納することができるようになった。今まではバックの中で散らかりやすくなっていた小物類が仕切りを設けることで、見分けやすくまた、取り出しやすくなった。この分類袋はハンドバックの中で、簡単に持ち運びができるし取り出すことも容易にできるようになった。
【図面の簡単な説明】
【００１８】
【図１】本考案に係るハンドバック用小物分類袋の正面図である。
【図２】図１の同じく平断面図である。
【図３】図１の同じく側断面図である。
【図４−ａ】シート材を二つ折りにして両端を縫合したもの。
【図４−ｂ】シート材の開口部を始末する形で縫合したもの。
【図４−ｃ】シート材の端から幅を決めて、下部に向かって縫合したもの。
【図４−ｄ】シート材の端に取手部を付けたもの。
【図４−ｅ】ボタンを付けたもの。
【図５】ハンドバック用小物分類袋のパターンを変化させる場合で、分類袋の一端を縫い合わせたものの実施の形態を示す正面図である。
【図６】使用前の状態図である
【図７】使用時の状態図の斜視図である
【符号の説明】
【００１９】
１．バック用小物分類袋
２．開口部
３．筒体
４〜９．小物収納部縫合部
１０．  取手部
１０a  取手部取り付け部
１１．  取手部
１１a  取手部取り付け部
１２．  ボタン
１３．  シート材
１４．  ポケット部
１５．  取手部
１５a  取手部取り付け部
１６．小物収納部縫合部
１７．  小物収納部
Ａ. ボールペン
Ｂ. めがねケース
Ｃ. ハンカチ、ティッシュ
Ｄ. 手帳
Ｅ．化粧ポーチ
Ｆ.ペットボトル
Ｇ.財布、通帳
【図１】
0003141847.tif 000003
【図２】
0003141847.tif 000004
【図３】
0003141847.tif 000005
【図４−ａ】
0003141847.tif 000006
【図４−ｂ】
0003141847.tif 000007
【図４−ｃ】
0003141847.tif 000008
【図４−ｄ】
0003141847.tif 000009
【図４−ｅ】
0003141847.tif 000010
【図５】
0003141847.tif 000011
【図６】
0003141847.tif 000012
【図７】
0003141847.tif 000013